【手続補正書】
【提出日】平成16年4月20日(2004.4.20)
【手続補正１】
【補正対象書類名】明細書
【補正対象項目名】特許請求の範囲
【補正方法】変更
【補正の内容】
【特許請求の範囲】
【請求項１】
第１の基準電圧を調整して第２の基準電圧を生成するレベルトリミング回路と、
前記レベルトリミング回路に接続され、前記第２の基準電圧を用いて１つ以上の内部基準電圧を生成する基準電圧生成回路とを備え、
前記レベルトリミング回路は、
前記第１の基準電圧とフィードバック電圧を受け取り、差動出力電圧を生成する差動アンプと、
前記差動アンプに接続され、前記差動出力電圧に応答して前記第２の基準電圧を生成する駆動ドライバと、
前記駆動ドライバに接続され、前記第２の基準電圧を分圧して複数の分圧電圧を生成する分圧回路と、
前記分圧回路と前記差動アンプとの間に接続され、前記複数の分圧電圧の少なくとも１つを選択し、選択された少なくとも１つの分圧電圧を前記フィードバック電圧として差動アンプに供給する選択回路とを含むことを特徴とする内部電源電圧生成回路。
【請求項２】
第１の基準電圧を調整して第２の基準電圧を生成するレベルトリミング回路と、
前記レベルトリミング回路に接続され、前記第２の基準電圧を用いて１つ以上の内部基準電圧を生成する基準電圧生成回路とを備え、
前記基準電圧生成回路は、
前記第２の基準電圧とフィードバック電圧とを受け取り、差動出力電圧を生成する差動アンプと、
前記差動アンプに接続され、前記差動出力電圧に応答して第１の内部基準電圧を生成する駆動ドライバと、
前記駆動ドライバに接続され、前記第１の内部基準電圧を分圧して少なくとも１つの第２の内部基準電圧を含む複数の分圧電圧を生成する分圧回路とを含むことを特徴とする内部電源電圧生成回路。
【請求項３】
第１の基準電圧を調整して第２の基準電圧を生成するレベルトリミング回路と、
前記レベルトリミング回路に接続され、前記第２の基準電圧を用いて１つ以上の内部基準電圧を生成する基準電圧生成回路とを備え、
前記レベルトリミング回路は、
前記第２の基準電圧を分圧して複数の分圧電圧を生成する分圧回路であって、第１の抵抗と、その一つが前記第１の抵抗に接続され、同一の抵抗値を有する複数の第２の抵抗と、前記複数の第２の抵抗の他の一つに接続された第３の抵抗とを含み、第１及び第３の抵抗のいずれか一方が前記複数の第２の抵抗の抵抗値より大きい、前記分圧回路と、
前記第１の抵抗に並列に接続された第１の短絡スイッチと、
前記第３の抵抗に並列に接続された第２の短絡スイッチとを含むことを特徴とする内部電源電圧生成回路。
【請求項４】
第１の基準電圧を調整して第２の基準電圧を生成するレベルトリミング回路であって、前記第２の基準電圧を分圧して複数の分圧電圧を生成する分圧回路を含み、前記複数の分圧電圧から選択された少なくとも１つの分圧電圧をフィードバック電圧として用いて前記第１の基準電圧を調整する前記レベルトリミング回路と、
前記レベルトリミング回路に接続され、前記第２の基準電圧を用いて１つ以上の内部基準電圧を生成する基準電圧生成回路と、
前記レベルトリミング回路と前記基準電圧生成回路との間に接続され、前記フィードバック電圧の位相ずれを補償する位相補償回路とを備え、
前記レベルトリミング回路は、
前記第１の基準電圧と前記フィードバック電圧を受け取り、差動出力電圧を生成する差動アンプと、
前記差動アンプに接続され、前記差動出力電圧に応答して前記第２の基準電圧を生成する駆動ドライバと、
前記駆動ドライバに接続され、前記第２の基準電圧を分圧して複数の分圧電圧を生成する分圧回路と、
前記分圧回路と前記差動アンプとの間に接続され、前記複数の分圧電圧の少なくとも１つを選択し、選択された少なくとも１つの分圧電圧を前記フィードバック電圧として前記差動アンプに供給する選択回路とを含むことを特徴とする内部電源電圧生成回路。
【請求項５】
第１の基準電圧を調整して第２の基準電圧を生成するレベルトリミング回路であって、前記第２の基準電圧を分圧して複数の分圧電圧を生成する分圧回路を含み、前記複数の分圧電圧から選択された少なくとも１つの分圧電圧をフィードバック電圧として用いて前記第１の基準電圧を調整する前記レベルトリミング回路と、
前記レベルトリミング回路に接続され、前記第２の基準電圧を用いて１つ以上の内部基準電圧を生成する基準電圧生成回路と、
前記レベルトリミング回路と前記基準電圧生成回路との間に接続され、前記フィードバック電圧の位相ずれを補償する位相補償回路とを備え、
前記基準電圧生成回路は、
前記第２の基準電圧と前記フィードバック電圧とを受け取り、差動出力電圧を生成する差動アンプと、
前記差動アンプに接続され、前記差動出力電圧に応答して第１の内部基準電圧を生成する駆動ドライバと、
前記駆動ドライバに接続され、前記第１の内部基準電圧を分圧して少なくとも１つの第２の内部基準電圧を含む複数の分圧電圧を生成する分圧回路とを含むことを特徴とする内部電源電圧生成回路。
【請求項６】
第１の基準電圧を調整して第２の基準電圧を生成するレベルトリミング回路であって、前記第２の基準電圧を分圧して複数の分圧電圧を生成する分圧回路を含み、前記複数の分圧電圧から選択された少なくとも１つの分圧電圧をフィードバック電圧として用いて前記第１の基準電圧を調整する前記レベルトリミング回路と、
前記レベルトリミング回路に接続され、前記第２の基準電圧を用いて１つ以上の内部基準電圧を生成する基準電圧生成回路と、
前記レベルトリミング回路と前記基準電圧生成回路との間に接続され、前記フィードバック電圧の位相ずれを補償する位相補償回路とを備え、
前記レベルトリミング回路は、
前記第２の基準電圧を分圧して複数の分圧電圧を生成する分圧回路であって、第１の抵抗と、その一つが第１の抵抗に接続され、同一の抵抗値を有する複数の第２の抵抗と、前記複数の第２の抵抗の他の一つに接続された第３の抵抗とを含み、第１及び第３の抵抗のいずれか一方が複数の第２の抵抗の抵抗値より大きい、前記分圧回路と、
前記第１の抵抗に並列に接続された第１の短絡スイッチと、
前記第３の抵抗に並列に接続された第２の短絡スイッチとを含むことを特徴とする内部電源電圧生成回路。
【請求項７】
外部電源電圧から第１の基準電圧を生成し、
前記第１の基準電圧を調整して第２の基準電圧を生成し、
前記第２の基準電圧の位相ずれを補償して補償された第２の基準電圧を生成し、
前記補償された第２の基準電圧及び単一の基準電圧生成回路を用いて複数の内部基準電圧を生成し、
前記複数の内部基準電圧を用いて複数の内部電源電圧を生成することを特徴とする内部電源電圧の生成方法。
【請求項８】
第１の基準電圧を調整して第２の基準電圧を生成するレベルトリミング回路であって、前記第２の基準電圧を分圧して複数の分圧電圧を生成する分圧回路と、前記複数の分圧電圧から選択された少なくとも１つの分圧電圧をフィードバック電圧として用いて前記第１の基準電圧を調整すること、更に、前記フィードバック電圧の位相ずれを補償する位相補償回路とを含む前記レベルトリミング回路と、
前記レベルトリミング回路に接続され、前記第２の基準電圧を用いて複数の内部基準電圧を生成する基準電圧生成回路とを備えることを特徴とする内部電源電圧生成回路。
【請求項９】
請求項８に記載の内部電源電圧生成回路において、
前記レベルトリミング回路は、固定制御信号及びテストモードに従う可変制御信号のうちのいずれか一つに従って前記フィードバック電圧を選択することを特徴とする内部電源電圧生成回路。
【請求項１０】
請求項８に記載の内部電源電圧生成回路において、
前記レベルトリミング回路は
前記第１の基準電圧と前記フィードバック電圧を受け取り、差動出力電圧を生成する差動アンプと、
前記差動アンプに接続され、前記差動出力電圧に応答して前記第２の基準電圧を生成する駆動ドライバと、
前記分圧回路と前記差動アンプとの間に接続され、複数の分圧電圧の少なくとも１つを選択し、選択された少なくとも１つの分圧電圧を前記フィードバック電圧として差動アンプに供給する選択回路とを含むことを特徴とする内部電源電圧生成回路。
【請求項１１】
請求項８に記載の内部電源電圧生成回路において、
前記基準電圧生成回路は、
第２の基準電圧と前記フィードバック電圧とを受け取り、差動出力電圧を生成する差動アンプと、
前記差動アンプに接続され、前記差動出力電圧に応答して第１の内部基準電圧を生成する駆動ドライバと、
前記駆動ドライバに接続され、前記第１内部基準電圧を分圧して少なくとも１つの第２の内部基準電圧を含む複数の分圧電圧を生成する第２の分圧回路とを含むことを特徴とする内部電源電圧生成回路。
【請求項１２】
請求項８に記載の内部電源電圧生成回路において、
前記基準電圧生成回路は、前記第２の基準電圧を前記第１の内部基準電圧として出力するとともに、前記第２の基準電圧を分圧して少なくとも１つの第２の内部基準電圧を生成する第２の分圧回路を含むことを特徴とする内部電源電圧生成回路。
【請求項１３】
請求項８に記載の内部電源電圧生成回路において、
前記分圧回路は、第１の抵抗と、その一つが第１の抵抗に接続され、同一の抵抗値を有する複数の第２の抵抗と、前記複数の第２の抵抗の他の一つに接続された第３の抵抗と、第１及び第３の抵抗のいずれか一方が複数の第２の抵抗の抵抗値より大きいこととを含み、前記レベルトリミング回路は、
前記第１の抵抗に並列に接続された第１の短絡スイッチと、
前記第３の抵抗に並列に接続された第２の短絡スイッチとを含むことを特徴とする内部電源電圧生成回路。
【請求項１４】
第１の基準電圧を調整して第２の基準電圧を生成するレベルトリミング回路であって、前記第２の基準電圧を分圧して複数の分圧電圧を生成する分圧回路と、前記複数の分圧電圧から選択された少なくとも１つの分圧電圧をフィードバック電圧として用いて前記第１の基準電圧を調整する前記レベルトリミング回路と、
前記レベルトリミング回路に接続され、前記第２の基準電圧を用いて複数の内部基準電圧を生成する基準電圧生成回路と
前記レベルトリミング回路と前記基準電圧生成回路との間に接続され、前記フィードバック電圧の位相ずれを補償する位相補償回路とを備えることを特徴とする内部電源電圧生成回路。
【請求項１５】
請求項１４に記載の内部電源電圧生成回路において、
前記レベルトリミング回路は、固定制御信号及びテストモードに従う可変制御信号のうちのいずれか一つに従って前記フィードバック電圧を選択することを特徴とする内部電源電圧生成回路。
【請求項１６】
請求項１４に記載の内部電源電圧生成回路において、
前記レベルトリミング回路は
前記第１の基準電圧と前記フィードバック電圧を受け取り、差動出力電圧を生成する差動アンプと、
前記差動アンプに接続され、前記差動出力電圧に応答して前記第２の基準電圧を生成する駆動ドライバと、
前記駆動ドライバに接続され、前記第２の基準電圧を分圧して複数の分圧電圧を生成する分圧回路と、
前記分圧回路と前記差動アンプとの間に接続され、複数の分圧電圧の少なくとも１つを選択し、選択された少なくとも１つの分圧電圧を前記フィードバック電圧として差動アンプに供給する選択回路とを含むことを特徴とする内部電源電圧生成回路。
【請求項１７】
請求項１４に記載の内部電源電圧生成回路において、
前記基準電圧生成回路は、
第２の基準電圧と前記フィードバック電圧とを受け取り、差動出力電圧を生成する差動アンプと、
前記差動アンプに接続され、前記差動出力電圧に応答して第１の内部基準電圧を生成する駆動ドライバと、
前記駆動ドライバに接続され、前記第１内部基準電圧を分圧して少なくとも１つの第２の内部基準電圧を含む複数の分圧電圧を生成する分圧回路とを含むことを特徴とする内部電源電圧生成回路。
【請求項１８】
請求項１４に記載の内部電源電圧生成回路において、
前記基準電圧生成回路は、前記第２の基準電圧を前記第１の内部基準電圧として出力するとともに、前記第２の基準電圧を分圧して少なくとも１つの第２の内部基準電圧を生成する分圧回路を含むことを特徴とする内部電源電圧生成回路。
【請求項１９】
請求項１４に記載の内部電源電圧生成回路において、
前記レベルトリミング回路は
前記第２の基準電圧を分圧して複数の分圧電圧を生成する分圧回路であって、第１の抵抗と、その一つが第１の抵抗に接続され、同一の抵抗値を有する複数の第２の抵抗と、前記複数の第２の抵抗の他の一つに接続された第３の抵抗とを含み、第１及び第３の抵抗のいずれか一方が複数の第２の抵抗の抵抗値より大きい、前記分圧回路と、
前記第１の抵抗に並列に接続された第１の短絡スイッチと、
前記第３の抵抗に並列に接続された第２の短絡スイッチとを含むことを特徴とする内部電源電圧生成回路。
【手続補正２】
【補正対象書類名】明細書
【補正対象項目名】００２６
【補正方法】変更
【補正の内容】
【００２６】
【課題を解決するための手段】
請求項１に記載の発明は、第１の基準電圧を調整して第２の基準電圧を生成するレベルトリミング回路と、前記レベルトリミング回路に接続され、前記第２の基準電圧を用いて１つ以上の内部基準電圧を生成する基準電圧生成回路とを備え、前記レベルトリミング回路は、前記第１の基準電圧とフィードバック電圧を受け取り、差動出力電圧を生成する差動アンプと、前記差動アンプに接続され、前記差動出力電圧に応答して前記第２の基準電圧を生成する駆動ドライバと、前記駆動ドライバに接続され、前記第２の基準電圧を分圧して複数の分圧電圧を生成する分圧回路と、前記分圧回路と前記差動アンプとの間に接続され、前記複数の分圧電圧の少なくとも１つを選択し、選択された少なくとも１つの分圧電圧を前記フィードバック電圧として差動アンプに供給する選択回路とを含む。
【手続補正３】
【補正対象書類名】明細書
【補正対象項目名】００２７
【補正方法】変更
【補正の内容】
【００２７】
請求項２に記載の発明は、第１の基準電圧を調整して第２の基準電圧を生成するレベルトリミング回路と、前記レベルトリミング回路に接続され、前記第２の基準電圧を用いて１つ以上の内部基準電圧を生成する基準電圧生成回路とを備え、前記基準電圧生成回路は、前記第２の基準電圧とフィードバック電圧とを受け取り、差動出力電圧を生成する差動アンプと、前記差動アンプに接続され、前記差動出力電圧に応答して第１の内部基準電圧を生成する駆動ドライバと、前記駆動ドライバに接続され、前記第１の内部基準電圧を分圧して少なくとも１つの第２の内部基準電圧を含む複数の分圧電圧を生成する分圧回路とを含む。
【手続補正４】
【補正対象書類名】明細書
【補正対象項目名】００２８
【補正方法】変更
【補正の内容】
【００２８】
請求項３に記載の発明は、第１の基準電圧を調整して第２の基準電圧を生成するレベルトリミング回路と、前記レベルトリミング回路に接続され、前記第２の基準電圧を用いて１つ以上の内部基準電圧を生成する基準電圧生成回路とを備え、前記レベルトリミング回路は、前記第２の基準電圧を分圧して複数の分圧電圧を生成する分圧回路であって、第１の抵抗と、その一つが前記第１の抵抗に接続され、同一の抵抗値を有する複数の第２の抵抗と、前記複数の第２の抵抗の他の一つに接続された第３の抵抗とを含み、第１及び第３の抵抗のいずれか一方が前記複数の第２の抵抗の抵抗値より大きい、前記分圧回路と、前記第１の抵抗に並列に接続された第１の短絡スイッチと、前記第３の抵抗に並列に接続された第２の短絡スイッチとを含む。
【手続補正５】
【補正対象書類名】明細書
【補正対象項目名】００２９
【補正方法】変更
【補正の内容】
【００２９】
請求項４に記載の発明は、第１の基準電圧を調整して第２の基準電圧を生成するレベルトリミング回路であって、前記第２の基準電圧を分圧して複数の分圧電圧を生成する分圧回路を含み、前記複数の分圧電圧から選択された少なくとも１つの分圧電圧をフィードバック電圧として用いて前記第１の基準電圧を調整する前記レベルトリミング回路と、前記レベルトリミング回路に接続され、前記第２の基準電圧を用いて１つ以上の内部基準電圧を生成する基準電圧生成回路と、前記レベルトリミング回路と前記基準電圧生成回路との間に接続され、前記フィードバック電圧の位相ずれを補償する位相補償回路とを備え、前記レベルトリミング回路は、前記第１の基準電圧と前記フィードバック電圧を受け取り、差動出力電圧を生成する差動アンプと、前記差動アンプに接続され、前記差動出力電圧に応答して前記第２の基準電圧を生成する駆動ドライバと、前記駆動ドライバに接続され、前記第２の基準電圧を分圧して複数の分圧電圧を生成する分圧回路と、前記分圧回路と前記差動アンプとの間に接続され、前記複数の分圧電圧の少なくとも１つを選択し、選択された少なくとも１つの分圧電圧を前記フィードバック電圧として前記差動アンプに供給する選択回路とを含む。
請求項５に記載の発明は、第１の基準電圧を調整して第２の基準電圧を生成するレベルトリミング回路であって、前記第２の基準電圧を分圧して複数の分圧電圧を生成する分圧回路を含み、前記複数の分圧電圧から選択された少なくとも１つの分圧電圧をフィードバック電圧として用いて前記第１の基準電圧を調整する前記レベルトリミング回路と、前記レベルトリミング回路に接続され、前記第２の基準電圧を用いて１つ以上の内部基準電圧を生成する基準電圧生成回路と、前記レベルトリミング回路と前記基準電圧生成回路との間に接続され、前記フィードバック電圧の位相ずれを補償する位相補償回路とを備え、前記基準電圧生成回路は、前記第２の基準電圧と前記フィードバック電圧とを受け取り、差動出力電圧を生成する差動アンプと、前記差動アンプに接続され、前記差動出力電圧に応答して第１の内部基準電圧を生成する駆動ドライバと、前記駆動ドライバに接続され、前記第１の内部基準電圧を分圧して少なくとも１つの第２の内部基準電圧を含む複数の分圧電圧を生成する分圧回路とを含む。
【手続補正６】
【補正対象書類名】明細書
【補正対象項目名】００３０
【補正方法】変更
【補正の内容】
【００３０】
請求項６に記載の発明は、第１の基準電圧を調整して第２の基準電圧を生成するレベルトリミング回路であって、前記第２の基準電圧を分圧して複数の分圧電圧を生成する分圧回路を含み、前記複数の分圧電圧から選択された少なくとも１つの分圧電圧をフィードバック電圧として用いて前記第１の基準電圧を調整する前記レベルトリミング回路と、前記レベルトリミング回路に接続され、前記第２の基準電圧を用いて１つ以上の内部基準電圧を生成する基準電圧生成回路と、前記レベルトリミング回路と前記基準電圧生成回路との間に接続され、前記フィードバック電圧の位相ずれを補償する位相補償回路とを備え、前記レベルトリミング回路は、前記第２の基準電圧を分圧して複数の分圧電圧を生成する分圧回路であって、第１の抵抗と、その一つが第１の抵抗に接続され、同一の抵抗値を有する複数の第２の抵抗と、前記複数の第２の抵抗の他の一つに接続された第３の抵抗とを含み、第１及び第３の抵抗のいずれか一方が複数の第２の抵抗の抵抗値より大きい、前記分圧回路と、前記第１の抵抗に並列に接続された第１の短絡スイッチと、前記第３の抵抗に並列に接続された第２の短絡スイッチとを含む。
請求項７に記載の発明は、外部電源電圧から第１の基準電圧を生成し、前記第１の基準電圧を調整して第２の基準電圧を生成し、前記第２の基準電圧の位相ずれを補償して補償された第２の基準電圧を生成し、前記補償された第２の基準電圧及び単一の基準電圧生成回路を用いて複数の内部基準電圧を生成し、前記複数の内部基準電圧を用いて複数の内部電源電圧を生成する。
【手続補正７】
【補正対象書類名】明細書
【補正対象項目名】００３１
【補正方法】変更
【補正の内容】
【００３１】
請求項８に記載の発明は、第１の基準電圧を調整して第２の基準電圧を生成するレベルトリミング回路であって、前記第２の基準電圧を分圧して複数の分圧電圧を生成する分圧回路と、前記複数の分圧電圧から選択された少なくとも１つの分圧電圧をフィードバック電圧として用いて前記第１の基準電圧を調整すること、更に、前記フィードバック電圧の位相ずれを補償する位相補償回路とを含む前記レベルトリミング回路と、前記レベルトリミング回路に接続され、前記第２の基準電圧を用いて複数の内部基準電圧を生成する基準電圧生成回路とを備えた。
請求項９に記載の発明のように、前記レベルトリミング回路は、固定制御信号及びテストモードに従う可変制御信号のうちのいずれか一つに従って前記フィードバック電圧を選択する。
請求項１０に記載の発明のように、前記レベルトリミング回路は前記第１の基準電圧と前記フィードバック電圧を受け取り、差動出力電圧を生成する差動アンプと、前記差動アンプに接続され、前記差動出力電圧に応答して前記第２の基準電圧を生成する駆動ドライバと、前記分圧回路と前記差動アンプとの間に接続され、複数の分圧電圧の少なくとも１つを選択し、選択された少なくとも１つの分圧電圧を前記フィードバック電圧として差動アンプに供給する選択回路とを含む。
請求項１１に記載の発明のように、前記基準電圧生成回路は、第２の基準電圧と前記フィードバック電圧とを受け取り、差動出力電圧を生成する差動アンプと、前記差動アンプに接続され、前記差動出力電圧に応答して第１の内部基準電圧を生成する駆動ドライバと、前記駆動ドライバに接続され、前記第１内部基準電圧を分圧して少なくとも１つの第２の内部基準電圧を含む複数の分圧電圧を生成する第２の分圧回路とを含む。
請求項１２に記載の発明のように、前記基準電圧生成回路は、前記第２の基準電圧を前記第１の内部基準電圧として出力するとともに、前記第２の基準電圧を分圧して少なくとも１つの第２の内部基準電圧を生成する第２の分圧回路を含む。
請求項１３に記載の発明のように、前記分圧回路は、第１の抵抗と、その一つが第１の抵抗に接続され、同一の抵抗値を有する複数の第２の抵抗と、前記複数の第２の抵抗の他の一つに接続された第３の抵抗と、第１及び第３の抵抗のいずれか一方が複数の第２の抵抗の抵抗値より大きいこととを含み、前記レベルトリミング回路は、前記第１の抵抗に並列に接続された第１の短絡スイッチと、前記第３の抵抗に並列に接続された第２の短絡スイッチとを含む。
【手続補正８】
【補正対象書類名】明細書
【補正対象項目名】００３２
【補正方法】変更
【補正の内容】
【００３２】
請求項１４に記載の発明は、第１の基準電圧を調整して第２の基準電圧を生成するレベルトリミング回路であって、前記第２の基準電圧を分圧して複数の分圧電圧を生成する分圧回路と、前記複数の分圧電圧から選択された少なくとも１つの分圧電圧をフィードバック電圧として用いて前記第１の基準電圧を調整する前記レベルトリミング回路と、前記レベルトリミング回路に接続され、前記第２の基準電圧を用いて複数の内部基準電圧を生成する基準電圧生成回路と前記レベルトリミング回路と前記基準電圧生成回路との間に接続され、前記フィードバック電圧の位相ずれを補償する位相補償回路とを備えた。
請求項１５に記載の発明のように、前記レベルトリミング回路は、固定制御信号及びテストモードに従う可変制御信号のうちのいずれか一つに従って前記フィードバック電圧を選択する。
請求項１６に記載の発明のように、前記レベルトリミング回路は、前記第１の基準電圧と前記フィードバック電圧を受け取り、差動出力電圧を生成する差動アンプと、前記差動アンプに接続され、前記差動出力電圧に応答して前記第２の基準電圧を生成する駆動ドライバと、前記駆動ドライバに接続され、前記第２の基準電圧を分圧して複数の分圧電圧を生成する分圧回路と、前記分圧回路と前記差動アンプとの間に接続され、複数の分圧電圧の少なくとも１つを選択し、選択された少なくとも１つの分圧電圧を前記フィードバック電圧として差動アンプに供給する選択回路とを含む。
請求項１７に記載の発明のように、前記基準電圧生成回路は、第２の基準電圧と前記フィードバック電圧とを受け取り、差動出力電圧を生成する差動アンプと、前記差動アンプに接続され、前記差動出力電圧に応答して第１の内部基準電圧を生成する駆動ドライバと、前記駆動ドライバに接続され、前記第１内部基準電圧を分圧して少なくとも１つの第２の内部基準電圧を含む複数の分圧電圧を生成する分圧回路とを含む。
請求項１８に記載の発明のように、前記基準電圧生成回路は、前記第２の基準電圧を前記第１の内部基準電圧として出力するとともに、前記第２の基準電圧を分圧して少なくとも１つの第２の内部基準電圧を生成する分圧回路を含む。
請求項１９に記載の発明のように、前記レベルトリミング回路は前記第２の基準電圧を分圧して複数の分圧電圧を生成する分圧回路であって、第１の抵抗と、その一つが第１の抵抗に接続され、同一の抵抗値を有する複数の第２の抵抗と、前記複数の第２の抵抗の他の一つに接続された第３の抵抗とを含み、第１及び第３の抵抗のいずれか一方が複数の第２の抵抗の抵抗値より大きい、前記分圧回路と、前記第１の抵抗に並列に接続された第１の短絡スイッチと、前記第３の抵抗に並列に接続された第２の短絡スイッチとを含む。
【手続補正９】
【補正対象書類名】明細書
【補正対象項目名】００７０
【補正方法】変更
【補正の内容】
【００７０】
【発明の効果】
請求項１〜１９に記載の発明によれば、回路規模を小さくできしかも負荷の変動を小さくでき精度の高い複数の内部電源電圧を生成することができる効果を有する。


【手続補正１０】
【補正対象書類名】明細書
【補正対象項目名】００７１
【補正方法】削除
【補正の内容】
【手続補正１１】
【補正対象書類名】明細書
【補正対象項目名】００７２
【補正方法】削除
【補正の内容】
【手続補正１２】
【補正対象書類名】明細書
【補正対象項目名】００７３
【補正方法】削除
【補正の内容】